(57)【特許請求の範囲】
【請求項１】
横方向に分割形成された樹脂製の一対のケースを結合して本体が構成された照明器具であって、前記各ケースは、点灯回路基板を収める基板収納部と、点灯回路基板へ電源を供給するコードを収めるコード収納部と、点灯回路基板からの出力が供給される環状蛍光ランプを保持するランプホルダー部とが一体に形成された照明器具。
【請求項２】
請求項１において、環状蛍光ランプを保持するランプ支持ばねを取り付けたアーム部を本体にランプホルダー部とは逆向きに一体に形成した照明器具。
【請求項３】
請求項１において、点灯回路基板にリード線を介してソケットを接続し、このソケットをランプホルダー部の開口に臨んでランプホルダー部に収めた照明器具。
【請求項４】
請求項１において、点灯回路基板の上下にそれぞれ金属板を設け、ケースの基板収納部に前記金属板とともに点灯回路基板を収めた照明器具。
【発明の詳細な説明】
【０００１】
【発明の属する技術分野】
本発明は、コードペンダント型照明器具に好適な照明器具に関する。
【０００２】
【従来の技術】
この種の照明器具は、縦方向に分割形成された金属製の一対のケースを結合して本体が構成され、前記本体内には点灯回路基板を収めていた。
【０００３】
【発明が解決しようとする課題】
しかし、本体の上面にコード収納筒を別途ビス止めしたり、本体の下面にランプホルダーを別途取り付ける必要があり、生産性があまり良くなかった。本発明はこのような解決すべき課題を鑑み、合理的に構成された照明器具を提供することを目的とする。
【０００４】
【課題を解決するための手段】
請求項に示した通りである。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図示の実施形態はコードペンダント型照明器具を示し、環状蛍光ランプ１、２を保持した本体３がコード４により図外の天井に吊下げられる。本体３の外側縁にはセード５の円形孔縁６が載置される。本体３は従来のような円盤状ではなく、本体３の対向する両側面７，７はカットされて略平面とされ、これらの側面７、７と前記セード５の円形孔縁６の間に放熱のための隙間８，８を形成するとともに、前記本体３において対向して残存する一対の円弧状部９、９に前記セード５の円形孔縁６を載置している。このように構成すれば、隙間８，８により放熱性が向上するとともに、セード５の円形孔縁６は本体３において対向して残存する一対の円弧状部９、９に載置されているため、セード５と本体３の中心が位置ずれすることは実質的に生じなく、ひいては照明器具の傾きを防止できる。
【０００７】
また、本体３の一方の円弧状部９の中間部において環状蛍光ランプ１、２を保持するランプホルダー部１０を外向きに突出して設けている。さらに、本体３の他方の円弧状部９の中間部において環状蛍光ランプ１、２を保持するランプ支持ばね１１を挟み込みにより取り付けたアーム部１２を外向きに突出して設けている。このように構成すると、ランプホルダー部１０やアーム部１２が隙間８、８を部分的にせよ塞ぐことはないため、放熱を妨げることはない。
【０００８】
図示の実施形態を別観点から説明すれば、横方向に分割形成された樹脂製の一対のケース１３、１３を結合して本体３が構成された照明器具であって、前記各ケース１３、１３は、図示されないインバータ回路部品が搭載された点灯回路基板１４を収める基板収納部１５と、点灯回路基板１４へ電源を供給するコード４を収めるコード収納部１６と、点灯回路基板１４からの出力が供給される環状蛍光ランプ１、２を保持するランプホルダー部１０とが一体に形成された照明器具である。このように構成すれば、ケース１３には、基板収納部１５、コード収納部１６およびランプホルダー部１０が一体に形成されているため、ケース１３の構成が合理化され、生産性・組立性向上に寄与している。
【０００９】
そして、環状蛍光ランプ１、２を保持するランプ支持ばね１１を取り付けたアーム部１２を本体３にランプホルダー部１０とは逆向きに一体に形成するとさらに合理的である。また、点灯回路基板１４にリード線１７を介してソケット１８を接続し、このソケット１８をランプホルダー部１０の開口１９に臨んでランプホルダー部１０に位置決め装着して収めている。また、点灯回路基板１４の上下にそれぞれ金属板２０、２１を設け、ケース１３の基板収納部１５に前記金属板２０、２１とともに点灯回路基板１４を収めているため、万一、点灯回路基板１４に搭載した部品が発煙・発火などしても安全である。
【００１０】
図示の実施形態をさらに別観点から説明すれば、分割形成された樹脂製の一対のケース１３、１３を結合して本体３が構成され、この本体３内に点灯回路基板１４を収めた照明器具であって、点灯回路基板１４の上下と本体３間に金属板２０、２１をそれぞれ介在させた照明器具である。このように構成すれば、万一、点灯回路基板１４に搭載した部品が発煙・発火などしても安全である。
【００１１】
また、上側の金属板２０の下面にスイッチ２２が固定され、このスイッチ２２の下縁と下側の金属板２１が当接することにより、上下の金属板２０、２１が最小間隔を保って本体３内に位置決めされて収められている。これにより、上下の金属板２０、２１を本体３内の上下にそれぞれ当接させるだけで収納でき、金属板２０、２１と本体３とをビス止めする必要がない。
【００１２】
図示の実施形態をさらに別観点から説明すれば、横方向に分割形成された樹脂製の一対のケース１３、１３を結合して本体３が構成された照明器具であって、前記各ケース１３、１３は少なくとも、点灯回路基板１４を収める基板収納部１５と、上面より吊下げコード４が導入される半割山形状のコード収納部１６とが一体に形成され、各ケース１３、１３のコード収納部１６、１６同士はコード収納部１６、１６の上面付近両側において互いにビス２３、２３により結合された照明器具である。なお、ビス２３、２３は、一方のコード収納部１６の上面の孔２４，２４に通され、他方のコード収納部１６の上面において側方に突き出して形成したボス２５、２５に螺合される。この構成によると、照明器具の荷重を支えるコード４が通されているために、開きやすいコード収納部１６、１６の上面付近の相互固定を確実に行える。
【００１３】
また、各ケース１３、１３には、点灯回路基板１４からの出力が供給される環状蛍光ランプ１、２を保持するランプホルダー部１０と、前記環状蛍光ランプ１、２を保持するランプ支持ばね１１を取り付けたアーム部１２とが互いに逆向きに一体に突出形成され、ランプホルダー部１０同士とアーム部１２同士はそれぞれ互いにビス２６、２７で結合されている。このようにランプホルダー部１０同士とアーム部１２同士のビス結合はそれぞれ１本のみで済み、組立作業が合理化できる。
【００１４】
図示の実施形態をさらに別観点から説明すれば、本体３の一側にソケット１８を収めたランプホルダー部１０、他側にランプ支持ばね１１を取り付けたアーム部１２をそれぞれ設けて環状蛍光ランプ１、２を保持するコード吊下げ型の照明器具であって、前記ランプホルダー部１０側に荷重が偏るのを解消すべく、前記アーム部１２の内部にバランサー（金属製の重り）２８を収めた照明器具である。このようにすれば、バランサー２８を設ける箇所を本体３の外寄りにできるため、比較的軽いバランサー２８で済む。
【００１５】
また、本体３はランプホルダー部１０及びアーム部１２を含み横方向に分割形成された樹脂製の一対のケース１３、１３を結合して構成され、前記アーム部１２同士を互いに結合するビス２７はバランサー２８に貫通し、ビス２７はバランサー２８の固定にも寄与している。
【００１６】
図示の実施形態をさらに別観点から説明すれば、大径、小径の環状蛍光ランプ１、２をそれぞれ保持するランプホルダー部１０ａ、１０ｂを上下かつ内外方向に隣接して設けた照明器具であって、大径の環状蛍光ランプ１を保持するランプホルダー部１０ａの下縁と小径の環状蛍光ランプ２を保持するランプホルダー部１０ｂの下縁の隙間ｇを小径の環状蛍光ランプ２の断面外径ｄより少し小さくした照明器具である。これにより、小径の環状蛍光ランプ２が隙間ｇより不用意に落下するのを防止できる。なお、ランプホルダー部１０ａ、１０ｂは可撓性の樹脂で成形されているため、小径の環状蛍光ランプ２を隙間ｇから脱出させて取り外すことは可能である。
【００１７】
次に補足説明をすれば、コード４の上端には引掛プラグ３１が接続され、引掛プラグ３１が天井に固定される引掛ローゼット（図示せず）に接続固定される。コード４はコード収納部１６、１６の上面間に装着される公知のコードアジャスター３２に通されてコード４の導出長を調節可能としている。コード４の下端にはコネクタ３３が接続され、コネクタ３３はスイッチ２２の上面に装着接続されている。また、コード４においてコネクタ３３の少し上方にはストッパー３４が固着され、ストッパー３４の基部は金属板２０の大幅孔３５から通されて小幅孔３６の縁部に係止され、コードアジャスター３２が破損したときにコネクタ３３がスイッチ２２から離脱するのを防止している。
【００１８】
また、スイッチ２２の上端は絶縁樹脂製のスペーサー３７に通され、スイッチ２２はビス３８をスペーサー３７を通して金属板２０に螺合することにより金属板２０に固定される。点灯回路基板１４にはスイッチ２２が通る孔３９が形成され、スイッチ２２の側方に突出した図示されない導電接続刃を点灯回路基板１４下面のコネクタ（図示せず）に接続することにより、点灯回路基板１４はスイッチ２２により支持固定される。
【００１９】
さらにまた、スイッチ２２下端の小突部４０が金属板２１中央の小孔４１に差し込まれて、スイッチ２２の下縁と金属板２１が当接することにより、金属板２１と金属板２０の最小間隔が規制され、ケース１３に収めたときに、金属板２０の上面は基板収納部１５の上端すなわちコード収納部１６の下端に当接位置決めされ、金属板２１の下面は基板収納部１５の下端に当接位置決めされる。ケース１３，１３の下面には金属板２１の下面の大部分を露出させる切り欠き４２，４２がそれぞれ対称的に形成されている。ビス２６、２７はケース１３の対応するボス４３、４４にそれぞれ螺合される。スイッチ２２の側部には豆球４５が装着され、豆球４５は金属板２１の孔４７に通される。スイッチ２２の引き紐４６は金属板２１の小孔４１に通されて下方に垂下している。
【図面の簡単な説明】
【図１】本発明の実施形態を示す分解斜視図
【図２】同組立断面図
【図３】図２とは直交し、セードを被せた状態の組立断面図
【図４】同上面図
【符号の説明】
１、２  環状蛍光ランプ
３  本体
４  コード
５  セード
６  円形孔縁
７  側面
８  隙間
９  円弧状部
１０  ランプホルダー部
１１  ランプ支持ばね
１２  アーム部
１３  ケース
１４  点灯回路基板
１５  基板収納部
１６  コード収納部
１７  リード線
１８  ソケット
１９  開口
２０、２１  金属板
２２  スイッチ
２３  ビス
２４  孔
２５  ボス
２６、２７  ビス
２８  バランサー
【図１】
0003729489.tif 000002
【図２】
0003729489.tif 000003
【図３】
0003729489.tif 000004
【図４】
0003729489.tif 000005